【事件の表示】
　平成　７年特許願第　２７３９４号「身飾品」拒絶査定不服審判事件〔平成　８年　７月　９日出願公開、特開平　８−１７３２２２号〕について、次のとおり審決する。
【結　論】
　本件審判の請求は、成り立たない。
【理　由】
１．手続の経緯・本願発明 
　本願は、平成７年１月２３日の出願（優先権主張平成６年６月１０日、平成６年１０月２５日）であって、平成１６年９月１４日付けで拒絶理由通知がなされ、これに対し、平成１６年１１月１９日付けで明細書について手続補正がなされ、平成１７年５月３１日付けで拒絶査定がなされ、平成１７年７月７日に拒絶査定不服審判の請求がなされたものであり、その請求項１に係る発明（以下、「本願発明」という。）は、平成１６年１１月１９日付けの手続補正書で補正された明細書及び図面の記載からみて、特許請求の範囲の請求項１に記載された次のとおりのものと認める。 
「一部を切り欠いて開口部を形成するように形成されたリング状の支持部材と、この支持部材の開口部に回転可能に取付けることができる、少なくとも２面以上の回転体と、この回転体の各面に設けられた宝石や装飾模様等の装飾体と、前記支持部材の開口両端部のほぼ中央部に形成された軸受孔あるいは軸と、前記回転体の両端ほぼ中央部に形成された記軸受孔あるいは軸に回転可能に係合する軸あるいは軸受孔と、前記支持部材の少なくとも一方の開口端部の軸受孔あるいは軸の外周部に形成された前記回転体を所定位置に固定する少なくとも１個以上の係止突起あるいは該回転体の面数と同数の係止孔と、前記回転体の前記係止突起あるいは係止孔と対応する端部に形成された該係止突起あるいは係止孔と係止される回転体の係止孔あるいは少なくとも１個以上の係止突起とを備えることを特徴とする身飾品。」 
　 
２．引用刊行物 
　これに対して、原査定の拒絶の理由に引用された、本願出願前に頒布された刊行物である実願昭５９−９１６８号（実開昭６０−１２１８１２号）のマイクロフィルム（以下、「引用刊行物」という。）には、図面とともに次の事項が記載されている。 
(ア)「所定の切離間隔で対向するリング端面を有しこのリング端面間の開口幅を弾性に抗して拡開させることができる平面略Ｃ形状の開口リングと、この開口リングのリング端面間に開口幅を拡開させて反転可能にピン支された異なる装飾面を持つ両面使用形の装飾台とからなり、この装飾台を手で反転させて、所望の装飾面を表出させて切替え使用できるようにしたことを特徴とする指輪。」（実用新案登録請求の範囲第１項） 
(イ)「前記装飾台と開口リングは装飾台のピン支部側と、リング端面のいずれか一方に突設した反転掛止用の係脱突起と、他方に凹設した反転掛止用の係合凹部を有していることを特徴とする実用新案登録請求の範囲第１項に記載の指輪。」（実用新案登録請求の範囲第２項） 
(ウ)「この考案は指輪の改良に関するもので、その目的は平面が略Ｃ形状をなす開口リングのリング端面間に、表裏両面を異なる装飾面とした両面使用形の装飾台を反転可能にピン支して、この装飾台の反転により所望の装飾面を表出させて切替え使用できるようにした、従来には存在しない新規な構造で実用価値の高い指輪を提供することにある。」（第２頁第１行〜８行）
(エ)「以下、この考案の一実施例を第１図乃至第６図の図面に従い説明すると、図中１は、所定の切離間隔で対向する第５図のような長方形状のリング端面２，３を有し、このリング端面２，３間の開口幅ａを弾性に抗して拡開させることができる金属製の開口リングで、この開口リング１のリング端面２，３にはリング幅方向に細長い反転掛止用の係合凹部４と、この係合凹部の中心位置に凹設したピン係合孔５が第４図、第５図のように設けられている。６はこの開口リング１のリング端面２，３間に開口幅ａを拡開させて反転可能にピン支された異なる装飾面６ａ，６ｂを持つ両面使用形の装飾台で、・・・また、この装飾台６の両側面にはリング端面２，３の係合凹部４に係脱可能に係合する反転掛止用の細長い係脱突起７と、この突起中心部より突出し前記リング端面２，３のピン係合孔５に嵌入する突出ピン８が第６図のように設けられている。」（第２頁第９行〜第３頁第１０行）
(オ)「なお、前記装飾台６の装飾面６ａ，６ｂは、異なる宝石９，１０を取付けたものとして第２図、第３図に示しているが、異なる装飾を台両面に直接刻設等したものでも、第７図、第８図に示すように時計１１を取付けた装飾面６ａと、宝石１２を取付けた装飾面６ｂとしたものでも、城いは片面の装飾面が捺印用の文字等を刻設したものでも、更にはきれいな絵シール等を貼着したものでもよい。」（第３頁第１０行〜１９行）
(カ)「第２図は片側の装飾面６ａを表出させた使用状態を示すもので、この状態において前記装飾台６は係脱突起７と、リング端面２，３側の係合凹部４との弾性係合（開口リング１の拡開復元力による弾性係合）で反転したり、ガタついたりしないように、しっかりと掛け止めされる。」（第３頁第２０行〜第４頁第５行）
(キ)「而して、第２図の状態で前記リング１を片方の手で持ち、他方の手指で装飾台６を摘んで、この装飾台６をどちらかの方向に回動させると、この回転力によって前記突起７がリング端面２，３の係合凹部４から外れ（この時、開口リング１は前記突起７のリング端面２，３への乗り上げによって弾性的に少し拡開する）、前記装飾台６を他方の装飾台６ｂが表出した第３図のような状態に反転させることができ、この反転状態で前記係脱突起７がリング端面２，３の係合凹部４に再び弾性係合して、装飾台６の反転状態（他方の装飾面６ｂが表出した反転状態）を掛止めするようになる。」（第４頁第６行〜１８行）
(ク)「なお、前記実施例は係脱突起７と突出ピン８を装飾台６側に設け、係合凹部４とピン係合孔５をリング端面２，３側に設けた場合について述べたが、これとは反対に前記突起７及び突出ピン８をリング端面２，３側に、係合凹部４及びピン係合孔５を装飾台６側に設けてもよく、また突出ピン８と係合凹部４及びピン係合孔５と係脱突起７という組合せで設けることもできる。」（第４頁第１９行〜第５頁第７行）
(ケ)「この考案の指輪は以上述べたようなものであるから、表裏両面を異なる装飾面として形成した両面使用形の装飾台を、手で反転させるだけの簡単な切替え操作で、所望の装飾面を表出させて使用できる効果がある。」（第５頁第８行〜１２行）
（コ）第４図には、開口リング１において、一部を切り欠いてリング端面２，３間に開口部を形成した点が図示されている。また、第５図には、ピン係合孔５が開口リング１のリング端面２，３のほぼ中央部に形成された点が図示されている。第６図には、突出ピン８が装飾台６の両端ほぼ中央部に形成された点が図示されている。
　
　したがって、引用刊行物には、 
「一部を切り欠いて開口部を形成した開口リングと、この開口リングのリング端面間の開口部に反転可能にピン支された２面を持つ装飾台と、装飾台の２面に設けられた異なる宝石や装飾を有する装飾面と、開口リングのリング端面のほぼ中央部に形成されたピン係合孔と、装飾台の両端ほぼ中央部に形成された、ピン係合孔に嵌入する突出ピンとを備え、前記装飾台と開口リングは装飾台のピン支部側と、リング端面のいずれか一方に突設した反転掛止用の係脱突起と、他方に凹設した反転掛止用の係合凹部を有している指輪。」の発明（以下、「引用発明」という。）が記載されているものと認められる。 
　 
３．対比及び判断 
　そこで、本願発明と引用発明とを対比すると、各文言の意味、機能又は作用からみて、後者における「指輪」は前者における「身飾品」に相当し、以下同様に、「開口リング」は「リング状の支持部材」に、「装飾台」は「回転体」に、「リング端面」は「開口端部」に、「この開口リングのリング端面間の開口部に反転可能にピン支された２面を持つ装飾台」は「この支持部材の開口部に回転可能に取付けることができる、少なくとも２面以上の回転体」に、「装飾面」は「面」に、「宝石や装飾」は「装飾体」に、「突出ピン」は「軸」に、「ピン係合孔」は「軸受孔」に、「係脱突起」は「係止突起」に、及び「係合凹部」は「係止孔」に、それぞれ相当すると認められる。 
　また、後者の「前記装飾台と開口リングは装飾台のピン支部側と、リング端面のいずれか一方に突設した反転掛止用の係脱突起と、他方に凹設した反転掛止用の係合凹部を有している」と前者の「前記支持部材の少なくとも一方の開口端部の軸受孔あるいは軸の外周部に形成された前記回転体を所定位置に固定する少なくとも１個以上の係止突起あるいは該回転体の面数と同数の係止孔と、前記回転体の前記係止突起あるいは係止孔と対応する端部に形成された該係止突起あるいは係止孔と係止される回転体の係止孔あるいは少なくとも１個以上の係止突起とを備える」は、「前記支持部材の少なくとも一方の開口端部に形成された前記回転体を所定位置に固定する少なくとも１個以上の係止突起あるいは係止孔と、前記回転体の前記係止突起あるいは係止孔と対応する端部に形成された該係止突起あるいは係止孔と係止される回転体の係止孔あるいは少なくとも１個以上の係止突起とを備える」という概念で共通するものである。 
　
　したがって、両者は、 
「一部を切り欠いて開口部を形成するように形成されたリング状の支持部材と、この支持部材の開口部に回転可能に取付けることができる、少なくとも２面以上の回転体と、この回転体の各面に設けられた宝石や装飾模様等の装飾体と、前記支持部材の開口両端部のほぼ中央部に形成された軸受孔あるいは軸と、前記回転体の両端ほぼ中央部に形成された前記軸受孔あるいは軸に回転可能に係合する軸あるいは軸受孔と、前記支持部材の少なくとも一方の開口端部に形成された前記回転体を所定位置に固定する少なくとも１個以上の係止突起あるいは係止孔と、前記回転体の前記係止突起あるいは係止孔と対応する端部に形成された該係止突起あるいは係止孔と係止される回転体の係止孔あるいは少なくとも１個以上の係止突起とを備える身飾品。」 
の点で一致し、以下の点で相違する。 
　
　相違点１：本願発明においては、支持部材の開口端部の軸受孔あるいは軸の外周部に回転体を所定位置に固定する係止突起あるいは係止孔を形成しているのに対して、引用発明においては、開口リングのリング端面（支持部材の開口端部）の係合凹部（係止孔）の中心位置にピン係合孔（軸受孔）が凹設した点。
　相違点２：本願発明においては、係止孔の数が回転体の面の数と同数であるのに対して、引用発明においては、係合凹部（係合孔）は１個である点。   
　そこで、上記相違点について検討する。 
　相違点１について　
　係止突起あるいは係止孔を設ける位置は、支持部材の開口端部の限られた範囲であり、そのどこに配置するかは、当業者が適宜決定し得る設計上の事項にすぎないし、引用発明においてもピン係合孔（軸受孔）の外方に係合凹部（係止孔）が設けられているといえるから、引用発明のピン係合孔（軸受孔）と係合凹部（係止孔）との位置関係に替えて上記相違点１に係る本願発明の構成を採用することは、当業者であれば容易に想到し得ることである。
　相違点２について
　回転体を固定する係止孔の数や形をどうするかは、回転体の面数を考慮して、回転体の各面が所定複数の位置をとれるように当業者が適宜なし得る事項にすぎず、引用発明においても係合凹部（係止孔）により装飾台（回転体）の面数と同じ２位置で掛け止めすることができるから、引用発明の係合凹部に替えて上記相違点２に係る本願発明の構成を採用することは、当業者であれば容易に想到し得ることである。
　
　また、本願発明の効果は、引用発明から当業者が予測し得る範囲内のものというべきであって，格別のものということはできない。 
　 
４．むすび  
　したがって、本願発明は、引用発明に基いて当業者が容易に発明をすることができたものであるので、特許法第２９条第２項の規定により特許を受けることができない。 
　よって、結論のとおり審決する。